(57)【要約】【課題】入力画像データから出力画像データへの詳細な較正が行えるＬＵＴを作成するためのチャートと、このチャートに基づいて当該ＬＵＴを作成する方法を提供すること。【解決手段】ＬＵＴ２０を作成するためのチャートＣ１が、連続的なグラデーションによって表される。また、撮像画像としてのチャートＣ１の形状を、チャートＣ１の特徴点Ｔ１〜Ｔ４から、幾何変換を用いて、較正用検査票Ａ１に描かれた状態のチャートＣ１に相似な形状に変換する。【選択図】図３
2005223708.tif 000002
【特許請求の範囲】
【請求項１】
入力画像を出力用の画像へ画像変換する画像処理装置に対し該画像変換の変換内容を調整するために用いる較正用検査票において、
色度の所定の属性が少なくとも一方向に連続的に変化するチャートが描かれたことを特徴とする較正用検査票。
【請求項２】
入力画像を出力用の画像へ画像変換する画像処理装置に対し該画像変換の変換内容を調整するために用いる較正用検査票において、
一方向に色度の所定の属性が連続的に変化すると共に、当該方向に対し垂直な方向に色度の他の属性が連続的に変化するチャートが描かれたことを特徴とする較正用検査票。
【請求項３】
入力画像を出力用の画像へ画像変換する画像処理装置に対し該画像変換の変換内容を表す較正用データを作成するための較正用データ作成方法において、
請求項１又は２に記載の較正用検査票から前記チャートを表すチャート画像を取得し、このチャート画像に対して該チャートの特徴点を特定すると共に該特徴点に対し予め設定された位置関係にある一連のデータ取得位置を特定し、該データ取得位置の所定近傍内の画像を前記チャート画像から取得し、該近傍内画像に基づいて前記較正用データを作成することを特徴とする較正用データ作成方法。
【請求項４】
前記画像処理装置の機器特性に応じて、前記特徴点の位置と前記データ取得位置との位置関係を変更することを特徴とする請求項３に記載の校正用データ作成方法。
【請求項５】
前記較正用検査票から前記チャートを表すチャート画像を取得する際、少なくとも一の拡散板を有する光源装置を用いて当該較正用検査票を照明することを特徴とする請求項３又は４に記載の較正用データ作成方法。
【請求項６】
前記チャートと略同一形状を有する均一チャートが描かれた補正用検査票から、前記チャート画像を取得した際と同一の撮影条件のもとで当該均一チャートを表す均一チャート画像を取得し、該均一チャート画像に対して前記チャートに対する一連のデータ取得位置と同じ位置近傍内の画像を取得し、この近傍内画像に基づいて、前記チャートを用いて作成された前記較正用データを補正することを特徴とする請求項３又は４に記載の較正用データ作成方法。
【発明の詳細な説明】
【技術分野】
【０００１】
本発明は、入力された画像データを出力用の画像データに較正する際に用いる較正用データ（ＬＵＴ）を作成するための較正用検査票と、該較正用検査票を用いて上記較正用データを作成する較正用データ作成方法に関する。
【背景技術】
【０００２】
近時、ＰＣ（Personal Computer）や、デジタルカメラ、ファクシミリ等の画像処理装置では、入力された画像データが、較正用データ（以下、ＬＵＴ（Look Up Table）という。）に基づいて出力用の画像データに較正されて出力される（例えば、特許文献１を参照。）。このＬＵＴは、予め撮影された、較正用検査票に描かれたチャートに基づいて作成される。この較正用検査票は、例えば、紙やプラスチック等の素材によって成るシート状のものがある。
【特許文献１】特公平７―２８８６２４号公報
【発明の開示】
【発明が解決しようとする課題】
【０００３】
上記従来のチャートは、例えば、図４に示すチャートＣ３のように、較正用検査票Ａ３に描かれ、複数色の複数のパッチＰ３が縦横に離散的に配列されてなる。このようなチャートＣ３を用いてＬＵＴを作成する場合、ＬＵＴに反映させる色の種類や数がパッチＰ３の色や数に限定されるため、入力画像データから出力画像データへの詳細な較正が行えるＬＵＴの作成が困難となる。
本発明の課題は、入力画像データから出力画像データへの詳細な較正が行えるＬＵＴを作成するためのチャートと、このチャートに基づいて当該ＬＵＴを作成する方法を提供することである。
【課題を解決するための手段】
【０００４】
上記課題を解決するため、請求項１記載の発明は、
入力画像を出力用の画像へ画像変換する画像処理装置に対し該画像変換の変換内容を調整するために用いる較正用検査票において、
色度の所定の属性（例えば、明度、彩度、Ｒ（Red）濃度、Ｇ（Green）濃度、Ｂ（Blue）濃度等。）が少なくとも一方向に連続的に変化するチャートが描かれたことを特徴とする。
【０００５】
また、上記課題を解決するため、請求項２に記載の発明は、
入力画像を出力用の画像へ画像変換する画像処理装置に対し該画像変換の変換内容を調整するために用いる較正用検査票において、
一方向に色度の所定の属性が連続的に変化すると共に、当該方向に対し垂直な方向に色度の他の属性が連続的に変化するチャートが描かれたことを特徴とする。
【０００６】
また、上記課題を解決するため、請求項３に記載の発明は、
入力画像を出力用の画像へ画像変換する画像処理装置に対し該画像変換の変換内容を表す較正用データを作成するための較正用データ作成方法において、
請求項１又は２に記載の較正用検査票から前記チャートを表すチャート画像を取得し、このチャート画像に対して該チャートの特徴点を特定すると共に該特徴点に対し予め設定された位置関係にある一連のデータ取得位置を特定し、該データ取得位置の所定近傍内の画像を前記チャート画像から取得し、該近傍内画像に基づいて前記較正用データを作成することを特徴とする。
【０００７】
更に、請求項４に記載の発明のように、請求項３に記載の発明において、
前記画像処理装置の機器特性に応じて、前記特徴点の位置と前記データ取得位置との位置関係を変更するのが好ましい。
【０００８】
更に、請求項５に記載の発明のように、請求項３又は４に記載の発明において、
前記較正用検査票から前記チャートを表すチャート画像を取得する際、少なくとも一の拡散板を有する光源装置を用いて当該較正用検査票を照明するのが好ましい。
【０００９】
更に、請求項６に記載の発明のように、請求項３又は４に記載の発明において、
前記チャートと略同一形状を有する均一チャートが描かれた補正用検査用紙から、前記チャート画像を取得した際と同一の撮影条件のもとで当該均一チャートを表す均一チャート画像を取得し、該均一チャート画像に対して前記チャートに対する一連のデータ取得位置と同じ位置近傍内の画像を取得し、この近傍内画像に基づいて、前記チャートを用いて作成された前記較正用データを補正するのが好ましい。
【発明の効果】
【００１０】
本発明によれば、較正用データを作成するための画像を取得するデータ取得位置が自由且つ詳細に設定可能となるため、較正用データが、入力画像から出力画像への詳細な較正変換が可能なように作成できる。
【発明を実施するための最良の形態】
【００１１】
以下、図面を参照して本発明を適用した一実施の形態について詳細に説明する。
まず、図１を参照して、画像処理装置１０について説明する。画像処理装置１０は、例えば、デジタルカメラ１が具備するものとする。
【００１２】
デジタルカメラ１は、ＣＣＤ（Carge Coupled Device）、Ａ／Ｄ（Analog/Digital）変換器、各種操作ボタン等（何れも図示略。）と、画像処理装置１０とを備え、入射した撮像光をＣＣＤにより電気信号に光電変換し、当該電気信号をＡ／Ｄ変換器によりデジタル信号（以下、画像データと総称する。）に変換する。そして、デジタルカメラ１では、この画像データが画像処理装置１０に入力され、出力用の画像データに変換されて出力される。
【００１３】
画像処理装置１０は、ＣＰＵ（Central Processing Unit）１１、ＲＯＭ（Read Only Memory）１２、ＲＡＭ（Random Access Memory）１３等を備え、ＲＯＭ１２内に格納された各種プログラムを実行してデジタルカメラ１を統括的に制御する。画像処理装置１０は、特に、図２のフローチャートに示す処理を実行する。
【００１４】
画像処理装置１０は、入力した画像データに対し、ＬＵＴ２０に基づく較正処理を、例えば、Ｒ、Ｇ、Ｂ毎に行って出力用の画像データに変換して出力する。このＬＵＴ２０は、ＲＡＭ１３等の読み出し／書き込み自在なメモリに格納されているものとする。
【００１５】
次に、図２を参照して、画像処理装置１０の動作について説明する。
まず、ステップＳ１の段階でユーザにより設定された撮影条件に応じたＬＵＴ２０を作成（以下、「変更」の意を含む。）するための処理（ステップＳ２〜Ｓ６）について説明する。
【００１６】
ステップＳ１の後、図３（ａ）に示す較正用検査票Ａ１に記載されたチャートＣ１を撮影して（ステップＳ２）、チャートＣ１の画像データを作成する。
【００１７】
チャートＣ１は、図３（ａ）に示すように、４つの矩形形状のパッチＰ１１〜Ｐ１４によって成る。パッチＰ１１〜Ｐ１４には、それぞれ、白、Ｒ、Ｇ、Ｂの各色が、明度が「暗」から「明」に連続的に変化するグラデーション（gradation）により表されている。また、チャートＣ１は、チャートＣ１の形状を特徴付けるための特徴点Ｔ１１〜Ｔ１４が予め描かれている。
【００１８】
なお、チャートＣ１に替えて、図３（ｂ）に示す、３枚の較正用検査票Ａ２１〜Ａ２３の各々に記載されたチャートＣ２１〜Ｃ２３のセットを用いるようにしてもよい。チャートＣ２１〜Ｃ２３は、何れも、彩度（横軸）、明度（縦軸）に関して連続的に変化するグラデーションによって表されている。また、チャートＣ２１〜Ｃ２３は、一枚の較正用検査票に描かれていてもよい。
【００１９】
そして、チャートＣ１の画像データから、チャートＣ１の特徴点Ｔ１１〜Ｔ１４を抽出し（ステップＳ３）、当該特徴点Ｔ１１〜Ｔ１４に基づいて、画像データとしてのチャートＣ１の形状（すなわち、撮像画像としての形状。）を、実際のチャートＣ１（すなわち、較正用検査票Ａ１に記載された状態のチャートＣ１。）に相似な形状に幾何変換する。ここで、幾何変換は、アフィン変換や射影変換等、図形から図形への変換の総称として用いられている。
【００２０】
そして、当該幾何変換後のチャートＣ１の画像内において、ＬＵＴ２０を作成するためのデータを取得する位置（以下、データ取得位置Ｄという。）を特定する（ステップＳ４）。
【００２１】
このデータ取得位置Ｄは、画像内に予め設定された座標系に基づく座標値によって表される。また、このデータ取得位置Ｄは、チャートＣ１内の相対的な位置として予め指定（任意に設定可能。）されており、この指定されたデータ取得位置Ｄを示すデータは、ＲＯＭ１２、１４等のメモリに予め格納されている。また、データ取得位置Ｄは、較正用検査票Ａ１には描かれていない。
【００２２】
そして、ステップＳ４で特定されたデータ取得位置Ｄの所定近傍内（例えば、データ取得位置Ｄを中心とした所定画素数の半径の円領域等。）からＬＵＴ２０の作成用データ（画像）を取得し（ステップＳ５）、当該取得したＬＵＴ２０の作成用データに基づいてＬＵＴ２０を作成する（ステップＳ６）。以上により、ＬＵＴ２０を作成するための処理が終了する。
【００２３】
次に、作成されたＬＵＴ２０に基づく画像変換処理（ステップＳ７〜Ｓ９）について説明する。まず、被写体が撮影されると、この撮像画像を表す画像データが入力される（ステップＳ７）。次いで、当該入力された画像データを、ステップＳ６で作成されたＬＵＴ２０に基づいて較正し、出力用の画像データに変換して（ステップＳ８）出力する（ステップＳ９）。
【００２４】
以上説明したように、ＬＵＴ２０を作成するためのチャートＣ１が、連続的なグラデーションによって表されているので、ＬＵＴ２０を作成するためのデータを取得するデータ取得位置Ｄが自由且つ詳細に設定可能となる。このため、ＬＵＴ２０が、入力画像データから出力画像データへの詳細な較正変換が可能なように作成できる。
更に、撮像画像としてのチャートＣ１の形状を、チャートＣ１の特徴点Ｔ１〜Ｔ４から、幾何変換を用いて、較正用検査票Ａ１に描かれた状態のチャートＣ１に相似な形状に容易に変換できる。このため、撮像画像としてのチャートＣ１の形状が、歪んでいたり、斜めになっている場合でも、データ取得位置Ｄの特定が、撮像画像としてのチャートＣ１内で正確に行え、より詳細な較正変換が可能なＬＵＴ２０が作成できる。
【００２５】
なお、本実施の形態における記述は、本発明に係る較正用検査票及び較正用データ作成方法の一例を示すものであり、これに限定されるものではない。本実施の形態における較正用検査票Ａ１や画像処理装置１０の細部構成、詳細動作に関しては、本発明の趣旨を逸脱しない範囲で適宜変更可能である。
【００２６】
例えば、撮像画像としてのチャートＣ１を表示するタッチパネル式モニタを備え、チャートＣ１の形状を特定するための特徴点Ｔ１〜Ｔ４を、このタッチパネルを介して指定できるような構成であってもよい。
【００２７】
また、チャートＣ１に予め描かれた特徴点Ｔ１〜Ｔ４は、４点に限らず、自由に設定可能である。特徴点の数が多いほど、撮像画像としてのチャートＣ１の形状を、較正用検査票Ａ１に描かれた状態のチャートＣ１に相似な形状に、より正確に変換可能となる。例えば、撮像画像としてのチャートＣ１を、特徴点を各頂点とする複数の三角形に分割し、各三角形毎に幾何変換を用いて、較正用検査票Ａ１に描かれた状態のチャートＣ１に相似な形状に変換するようにしてもよい。
【００２８】
また、画像処理装置１０の機器特性に応じて、特徴点Ｔ１〜Ｔ４の位置とデータ取得位置Ｄとの位置関係を変更できるようにしてもよい。
【００２９】
また、較正用検査票Ａ１からチャートＣ１を表すチャート画像を取得する際、少なくとも一の拡散板を有する光源装置（図示略。）を用いて当該較正用検査票Ａ１を照明するようにしてもよい。
【００３０】
また、チャートＣ１と略同一形状を有する均一チャート（図示略。）が描かれた他の較正用検査票から、チャートＣ１から画像データを取得した際と同一の撮影条件のもとで当該均一チャートを表す画像データを取得し、この均一チャートを表す画像データに対して、チャートＣ１を表す画像データに対する一連のデータ取得位置Ｄと同じ位置近傍内の画像を取得し、この位置近傍内の画像に基づいて、チャートＣ１を用いて作成されたＬＵＴ２０が補正できるようであってもよい。
【００３１】
また、較正用検査票Ａ１、Ａ２１〜Ａ２３、Ａ３の素材は、紙以外の素材で、例えば、プラスチックシート等であってもよい。
【図面の簡単な説明】
【００３２】
【図１】画像処理装置の構成を示すブロック図である。
【図２】図１に示す画像処理装置による処理内容を説明するフローチャートである。
【図３】（ａ）、（ｂ）は、本発明を適用した較正用検査票に描かれたチャートを示す図である。
【図４】従来の較正用検査票に描かれたチャートの一例を示す図である。
【符号の説明】
【００３３】
１  デジタルカメラ
１０  画像処理装置
１１  ＣＰＵ
１２  ＲＯＭ
１３  ＲＡＭ
２０  ＬＵＴ
【図１】
2005223708.tif 000003
【図２】
2005223708.tif 000004
【図３】
2005223708.tif 000005
【図４】
2005223708.tif 000006